(57)【要約】【課題】現像装置において、現像剤搬送路の連通路における現像剤の滞留を抑制して、現像剤面の上昇を低減することができる現像装置及びこれを用いる画像形成装置を提供する。【解決手段】現像剤を収納する現像槽１１１と、現像槽１１１内に仕切り板１１７によって区画される第１搬送路Ｐ及び第２搬送路Ｑと、第１搬送路Ｐ及び第２搬送路Ｑ内に設けられて現像剤を攪拌しながら互いに逆方向に循環搬送する第１搬送部材１１２及び第２搬送部材１１３と、第２搬送路Ｑ内の現像剤を感光体ドラム３に供給する現像ローラ１１４と、仕切り板１１７の両端において第１搬送路Ｐ及び第２搬送路Ｑとを連通する第１連通路ａ、第２連通路ｂを備える現像装置２において、第１搬送路Ｐから第２搬送路Ｑに移動する現像剤の流量を、現像剤の現像剤面の高さに応じて調整する現像剤流量調整手段１１８を備えることを特徴とするものとする。【選択図】図８
2011002756.tif 000002
【特許請求の範囲】
【請求項１】
トナーと磁性キャリアとを含む現像剤を収納する現像槽と、前記現像槽内に仕切り板によって区画される第１搬送路及び第２搬送路と、前記第１搬送路及び前記第２搬送路内に設けられて前記第１搬送路及び前記第２搬送路内の現像剤を攪拌しながら互いに逆方向に循環搬送する第１搬送部材及び第２搬送部材と、前記第２搬送路内の現像剤に含まれるトナーを感光体ドラムに供給する現像ローラと、前記仕切り板の両端において前記第１搬送路及び前記第２搬送路とを連通する連通路とを備える現像装置において、
前記第１搬送路から前記第２搬送路に移動する現像剤の流量、または、前記第２搬送路から前記第１搬送路に移動する現像剤の流量を、前記現像剤の現像剤面の高さに応じて調整する現像剤流量調整手段を備えることを特徴とする現像装置。
【請求項２】
前記現像剤流量調整手段は、前記仕切り板の端部の上部に設けられる上部開口部と、前記上部開口部を開閉するシャッター部材と、前記シャッター部材を回動自在に保持する保持部材とを備え、
前記上部開口部は、開口状態によって前記連通路の開口面積を変化させ、
前記シャッター部材は、前記上部開口部を開閉するシャッター板と、前記シャッター板を回動可能に軸支するシャッター部材回転軸と、現像剤の流れを受けて前記シャッター板を変位させるシャッター板変位板とを備え、
前記シャッター板は、前記シャッター部材回転軸から放射状に設けられ、
前記シャッター板変位板は、前記シャッター部材回転軸から放射状に設けられるとともに、前記シャッター板との成す角度が９０度以上１７０度以下で配置されることを特徴とする請求項１に記載の現像装置。
【請求項３】
前記保持部材は、前記仕切り板の端部に設けられることを特徴とする請求項２に記載の現像装置。
【請求項４】
前記現像剤流量調整手段は、前記シャッター板を前記上部開口部を閉鎖する方向へ付勢するスプリングと、前記シャッター板の可動域を制限するストッパーとを備えることを特徴とする請求項２または３に記載の現像装置。
【請求項５】
表面に静電潜像が形成される感光体ドラムと、前記感光体ドラム表面を帯電させる帯電装置と、前記感光体ドラム表面に静電潜像を形成する露光装置と、前記感光体ドラム表面の静電潜像にトナーを供給してトナー像を形成する現像装置と、前記トナー像を記録媒体に転写する転写装置と、前記転写されたトナー像を記録媒体に定着させる定着装置とを備え、電子写真方式によりトナーを用いて画像を形成する画像形成装置において、
前記現像装置として、請求項１乃至４のうちの何れか一項に記載の現像装置を用いることを特徴とする画像形成装置。
【発明の詳細な説明】
【技術分野】
【０００１】
本発明は、現像装置及びこれを用いる画像形成装置に係り、特に、電子写真方式によりトナーを用いて画像形成を行う静電複写機、レーザープリンタ及びファクシミリ等の画像形成装置に採用されてトナーと磁性キャリアとを含む２成分現像剤を用いた現像装置及びこれを用いる画像形成装置に関する。
【背景技術】
【０００２】
従来から、複写機、プリンタ及びファクシミリ等の電子写真方式の画像形成装置が知られている。電子写真方式の画像形成装置は、感光体、例えば、感光体ドラムの表面に静電潜像を形成し、現像装置によって感光体ドラムに対してトナーを供給して前記静電潜像を現像し、現像によって感光体ドラムに形成されたトナー像を用紙等のシートに転写して、定着装置によって定着させるようになっている。
【０００３】
近年、フルカラー化や高画質化に対応した画像形成装置では、トナーの帯電安定性に優れる２成分現像剤（以下、単に「現像剤」と称する。）がよく使用されている。
この現像剤は、トナーとキャリアとからなり、それらを現像装置内で攪拌することによりトナーとキャリアとが摩擦し、この摩擦によって適正に帯電したトナーが得られる。
【０００４】
現像装置において帯電したトナーは、２成分現像剤担持部材、例えば、現像ローラの表面に供給される。この現像ローラに供給されたトナーは、静電的吸引力によって感光体ドラムに形成されている静電潜像に移動する。これにより感光体ドラム上に静電潜像に基づいたトナー像が形成される。
【０００５】
また、最近では、画像形成装置の高速化及び小型化が要求されており、現像剤の帯電を迅速且つ充分に行い、現像剤の搬送も迅速に行う必要が生じてきている。
【０００６】
そこで、画像形成装置において、補給されたトナーを現像剤中に即時に分散させて適切な帯電量を付与するために、循環方式の現像装置が採用されている。循環方式の現像装置は、現像剤が循環搬送される現像剤搬送路と、現像剤搬送路にて現像剤を攪拌しながら搬送するスクリューオーガ（現像剤搬送部材）とを備えている。そして、現像剤のトナー濃度が所定値よりも下回った場合、トナーホッパーから現像剤搬送路へトナーが補給され、補給トナーと現像剤を攪拌しながら搬送するようになっている（特許文献１を参照）。
【先行技術文献】
【特許文献】
【０００７】
【特許文献１】特開２００１−２５５７２３号公報
【発明の概要】
【発明が解決しようとする課題】
【０００８】
しかしながら、特許文献１に示されるような現像剤を攪拌しながら循環搬送する現像装置においては、現像ローラの長手方向において現像剤の上面の高さ（以下、「現像剤面」と称する。）が変動すると、現像ローラの汲上量（感光体ドラムへの現像剤供給量）が変動し、画像濃度が現像剤ローラの長手方向において画像濃度にムラが生じるという課題があった。
【０００９】
また、現像剤においては、新しくトナー補給された現像剤の局所的部分などで、トナー濃度の変動やトナー帯電量の変動により、現像剤のかさ密度の変化によって、現像剤面が変動しやすくなるが、特に、循環搬送する現像装置においては、一方の現像剤搬送路から他方の現像剤搬送路への連通路においては、スクリューオーガなどの搬送部材がないため、現像剤の流動性が悪いと現像剤が滞留しやすく、現像剤面が著しく上昇するきっかけとなっていた。
【００１０】
本発明は、上記従来の問題点に鑑みてなされたものであって、現像装置において、現像剤搬送路の連通路における現像剤の滞留を抑制して、現像剤面の上昇を低減することができる現像装置及びこれを用いる画像形成装置を提供することを目的とする。
【課題を解決するための手段】
【００１１】
上述した課題を解決するための本発明に係る現像装置及びこれを用いる画像形成装置は、次の通りである。
【００１２】
本発明は、トナーと磁性キャリアとを含む現像剤を収納する現像槽と、前記現像槽内に仕切り板によって区画される第１搬送路及び第２搬送路と、前記第１搬送路及び前記第２搬送路内に設けられて前記第１搬送路及び前記第２搬送路内の現像剤を攪拌しながら互いに逆方向に循環搬送する第１搬送部材及び第２搬送部材と、前記第２搬送路内の現像剤に含まれるトナーを感光体ドラムに供給する現像ローラと、前記仕切り板の両端において前記第１搬送路及び前記第２搬送路とを連通する連通路とを備える現像装置において、前記第１搬送路から前記第２搬送路に移動する現像剤の流量、または、前記第２搬送路から前記第１搬送路に移動する現像剤の流量を、前記現像剤の現像剤面の高さに応じて調整する現像剤流量調整手段を備えることを特徴とするものである。
【００１３】
また、本発明は、前記現像剤流量調整手段の構成として、前記仕切り板の端部の上部に設けられる上部開口部と、前記上部開口部を開閉するシャッター部材と、前記シャッター部材を回動自在に保持する保持部材とを備え、前記上部開口部の開口状態によって前記連通路の開口面積を変化させ、前記シャッター部材の構成として、前記上部開口部を開閉するシャッター板と、前記シャッター板を回動可能に軸支するシャッター部材回転軸と、現像剤の流れを受けて前記シャッター板を変位させるシャッター板変位板とを備え、前記シャッター板を、前記シャッター部材回転軸から放射状に設け、前記シャッター板変位板を、前記シャッター部材回転軸から放射状に設けるとともに、前記シャッター板との成す角度が９０度以上１７０度以下で配置することが好ましい。
【００１４】
また、本発明は、前記保持部材を前記仕切り板の端部に設けることが好ましい。
【００１５】
また、本発明は、前記現像剤流量調整手段の構成として、前記シャッター板を前記上部開口部を閉鎖する方向へ付勢するスプリングと、前記シャッター板の可動域を制限するストッパーとを備えることが好ましい。
【００１６】
また、本発明は、表面に静電潜像が形成される感光体ドラムと、前記感光体ドラム表面を帯電させる帯電装置と、前記感光体ドラム表面に静電潜像を形成する露光装置と、前記感光体ドラム表面の静電潜像にトナーを供給してトナー像を形成する現像装置と、前記トナー像を記録媒体に転写する転写装置と、前記転写されたトナー像を記録媒体に定着させる定着装置とを備え、電子写真方式によりトナーを用いて画像を形成する画像形成装置において、前記現像装置として、請求項１乃至４のうちの何れか一項に記載の現像装置を用いることを特徴とするものである。
【発明の効果】
【００１７】
本発明によれば、トナーと磁性キャリアとを含む現像剤を収納する現像槽と、前記現像槽内に仕切り板によって区画される第１搬送路及び第２搬送路と、前記第１搬送路及び前記第２搬送路内に設けられて前記第１搬送路及び前記第２搬送路内の現像剤を攪拌しながら互いに逆方向に循環搬送する第１搬送部材及び第２搬送部材と、前記第２搬送路内の現像剤に含まれるトナーを感光体ドラムに供給する現像ローラと、前記仕切り板の両端において前記第１搬送路及び前記第２搬送路とを連通する連通路とを備える現像装置において、前記第１搬送路から前記第２搬送路に移動する現像剤の流量、または、前記第２搬送路から前記第１搬送路に移動する現像剤の流量を、前記現像剤の現像剤面の高さに応じて調整する現像剤流量調整手段を備えることで、現像剤面が局所的に上昇した場合に、前記現像剤流量調整手段によって、前記第１搬送路と前記第２搬送路間の現像剤の流量を多くすることができるので、前記連通路における現像剤の滞留を抑制して、現像剤面の上昇を低減することができる。
【００１８】
また、本発明によれば、前記現像剤流量調整手段の構成として、前記仕切り板の端部の上部に設けられる上部開口部と、前記上部開口部を開閉するシャッター部材と、前記シャッター部材を回動自在に保持する保持部材とを備え、前記上部開口部の開口状態によって前記連通路の開口面積を変化させ、前記シャッター部材の構成として、前記上部開口部を開閉するシャッター板と、前記シャッター板を回動可能に軸支するシャッター部材回転軸と、現像剤の流れを受けて前記シャッター板を変位させるシャッター板変位板とを備え、前記シャッター板を、前記シャッター部材回転軸から放射状に設け、前記シャッター板変位板を、前記シャッター部材回転軸から放射状に設けるとともに、前記シャッター板との成す角度を９０度以上１７０度以下で配置することで、現像剤面が上昇した場合に、前記シャッター板を開放させることで、上部開口部から現像剤を第２搬送路側に導入することにより容易に現像剤流量の調整を行うことができる。これにより、簡単な構成で現像剤面の上昇を低減することができる。
【００１９】
また、本発明によれば、前記保持部材を前記仕切り板の端部に設けることで、現像剤面が最も上昇しやすい仕切り板の端部にシャッター部材が設けることができるので、現像剤面の変動をいち早く捉え、前記シャッター部材を開放させることができる
【００２０】
また、本発明によれば、前記現像剤流量調整手段の構成として、前記シャッター板を前記上部開口部を閉鎖する方向へ付勢するスプリングと、前記シャッター板の可動域を制限するストッパーとを備えることで、現像剤の流量に応じて前記シャッター板が前記スプリングのばね力を抗して徐々に開放されることで、現像剤を徐々に流出させることができるとともに、前記ストッパーにより前記シャッター板が開放し過ぎることを防止できる。
【００２１】
すなわち、シャッター板変位板は、現像剤搬送路（第２搬送路）を流れる現像剤の力を受けて動くために、現像剤面の高さが高いほど、シャッター板を開放させる方向に働く力が強くなるので、スプリングのばね定数を適正値に調整することにより、現像剤面の高さに応じて、シャッター板の開口面積を微調整できる。その結果、現像剤面がある程度の高さ以上では多くの現像剤が第１搬送路へ流れ、現像剤面が徐々に下がってくると、現像剤の流量が徐々に減少していくので、現像剤面の過調整を防止できる。
【００２２】
また、本発明によれば、表面に静電潜像が形成される感光体ドラムと、前記感光体ドラム表面を帯電させる帯電装置と、前記感光体ドラム表面に静電潜像を形成する露光装置と、前記感光体ドラム表面の静電潜像にトナーを供給してトナー像を形成する現像装置と、前記トナー像を記録媒体に転写する転写装置と、前記転写されたトナー像を記録媒体に定着させる定着装置とを備え、電子写真方式によりトナーを用いて画像を形成する画像形成装置において、前記現像装置として、請求項１乃至４のうちの何れか一項に記載の現像装置を用いることで、前記現像装置内の現像剤の搬送路における現像剤面の変動を抑えられるので、画像濃度ムラのない画像が得られる。
【図面の簡単な説明】
【００２３】
【図１】本発明の実施形態に係る現像装置が用いられた画像形成装置の全体の構成を示す説明図である。
【図２】前記画像形成装置を構成するトナー補給装置の概略構成を示す断面図である。
【図３】図２のＣ−Ｃ断面矢視図である。
【図４】前記画像形成装置を構成する現像装置の構成を示す断面図である。
【図５】図４のＡ−Ａ断面矢視図であって、前記現像装置を構成する現像剤流量調整手段のシャッター部材が閉じた状態を示す説明図である。
【図６】図４のＡ−Ａ断面矢視図であって、前記シャッター部材が開放した状態を示す説明図である。
【図７】図４のＢ−Ｂ断面矢視図である。
【図８】前記現像剤流量調整手段の構成を示す拡大斜視図である。
【図９】前記現像剤流量調整手段の構成を示す分解斜視図である。
【発明を実施するための形態】
【００２４】
以下、本発明を実施するための形態について図面を参照して説明する。
図１は発明を実施する形態の一例であって、本発明の実施形態に係る現像装置が用いられた画像形成装置の全体の構成を示す説明図である。
【００２５】
本実施形態は、図１に示すように、表面に静電潜像が形成される感光体ドラム３と、感光体ドラム３表面を帯電させる帯電器（帯電装置）５と、感光体ドラム３表面に静電潜像を形成する露光ユニット（露光装置）１と、感光体ドラム３表面の静電潜像にトナーを供給してトナー像を形成する現像装置２と、現像装置２にトナーを補給するトナー補給装置２２と、感光体ドラム３表面のトナー像を記録媒体に転写する中間転写ベルトユニット（転写装置）８と、トナー像を記録媒体に定着させる定着ユニット（定着装置）１２とを備え、電子写真方式によりトナーを用いて画像を形成する画像形成装置１００において、現像装置２として、本発明に係る現像装置の構成を採用したものである。
【００２６】
この画像形成装置１００は、外部から伝達される画像データに応じて所定のシート（記録用紙，記録媒体）に多色または単色の画像を形成するものである。なお、画像形成装置１００の上方にスキャナ等を備えてもよい。
【００２７】
まず、画像形成装置１００の全体構成について説明する。
画像形成装置１００は、図１に示すように、黒（Ｋ）、シアン（Ｃ）、マゼンタ（Ｍ）及びイエロー（Ｙ）の色成分毎の画像データが取り扱われ、黒画像、シアン画像、マゼンタ画像、イエロー画像が形成され、各々の色成分の画像を重畳することによってカラー画像が形成されるようになっている。
【００２８】
従って、画像形成装置１００においては、図１に示すように、各色成分の画像が形成されるように、現像装置２（２ａ，２ｂ，２ｃ，２ｄ）、感光体ドラム３（３ａ，３ｂ，３ｃ，３ｄ）、帯電器５（５ａ，５ｂ，５ｃ，５ｄ）、クリーナユニット４（４ａ，４ｂ，４ｃ，４ｄ）がそれぞれ４個ずつ設けられている。言い換えると、現像装置２と感光体ドラム３と帯電器５とクリーナユニット４とを１つずつ含む画像形成ステーション（画像形成部）が４つ設けられることになる。
【００２９】
なお、上記ａ〜ｄの符号は、ａが黒画像形成用の部材、ｂがシアン画像形成用の部材、ｃがマゼンタ画像形成用の部材、ｄがイエロー画像形成用の部材であることを示したものである。また、画像形成装置１００には、露光ユニット１、定着ユニット１２、シート搬送路Ｓ、給紙トレイ１０及び排紙トレイ１５が備えられている。
【００３０】
帯電器５は、感光体ドラム３の表面を所定の電位に均一に帯電させるものである。
帯電器５としては、図１に示す接触ローラ型の帯電器の他、接触ブラシ型の帯電器、或いは非接触チャージャー型の帯電器などが使用されることもある。
【００３１】
露光ユニット１は、図１に示すように、レーザ照射部及び反射ミラーを備えたレーザスキャニングユニット（ＬＳＵ）である。但し、レーザスキャニングユニット以外に、発光素子をアレイ状に並べたＥＬ（エレクトロルミネッセンス）やＬＥＤ書込みヘッドを露光ユニット１とすることもできる。露光ユニット１は、帯電された感光体ドラム３を入力された画像データに応じて露光することにより、感光体ドラム３の表面に画像データに応じた静電潜像を形成する。
【００３２】
現像装置２（２ａ，２ｂ，２ｃ，２ｄ）は、感光体ドラム３に形成された静電潜像をＫ，Ｃ，Ｍ，Ｙのいずれかのトナーにより顕像化する（現像する）ものである。現像装置２の上部には、トナー移送機構１０２（１０２ａ，１０２ｂ，１０２ｃ，１０２ｄ）、トナー補給装置２２（２２ａ，２２ｂ，２２ｃ，２２ｄ）、現像槽１１１（１１１ａ，１１１ｂ，１１１ｃ，１１１ｄ）を備えている。
【００３３】
トナー補給装置２２は、現像槽１１１よりも上方に配され、未使用トナー（粉体状のトナー）を貯蔵している。トナー補給装置２２から現像槽１１１へトナー移送機構１０２を介してトナーが供給されるようになっている。
【００３４】
クリーナユニット４は、現像及び画像転写工程後に感光体ドラム３の表面に残留しているトナーを除去し、回収するものである。
【００３５】
感光体ドラム３の上方には中間転写ベルトユニット８が配置されている。中間転写ベルトユニット８は、中間転写ローラ６（６ａ，６ｂ，６ｃ，６ｄ）、中間転写ベルト７、中間転写ベルト駆動ローラ７１、中間転写ベルト従動ローラ７２、中間転写ベルトテンション機構７３、及び中間転写ベルトクリーニングユニット９を備えている。
【００３６】
中間転写ローラ６、中間転写ベルト駆動ローラ７１、中間転写ベルト従動ローラ７２、中間転写ベルトテンション機構７３は、中間転写ベルト７を張架し、図１の矢印Ｂ方向に中間転写ベルト７を回転駆動させるものである。
【００３７】
中間転写ローラ６は、中間転写ベルトユニット８の中間転写ベルトテンション機構７３における中間転写ローラ取付部に回転可能に支持されている。中間転写ローラ６には感光体ドラム３のトナー像を中間転写ベルト７上に転写するための転写バイアスが印加されている。
【００３８】
中間転写ベルト７は、各感光体ドラム３に接触するように設けられている。中間転写ベルト７上には、感光体ドラム３に形成された各色成分のトナー像が順次重ねて転写されることにより、カラーのトナー像（多色トナー像）が形成される。中間転写ベルト７は、厚さが例えば１００μｍ〜１５０μｍ程度のフィルムを用いて無端状に形成されている。
【００３９】
感光体ドラム３から中間転写ベルト７へのトナー像の転写は、中間転写ベルト７の裏側に接触している中間転写ローラ６によって行われる。中間転写ローラ６には、トナー像を転写するために高電圧の転写バイアス（トナーの帯電極性（−）とは逆極性（＋）の高電圧）が印加されている。
【００４０】
中間転写ローラ６は、直径が例えば８〜１０ｍｍの金属（例えばステンレス）軸をベースとして形成され、表面が導電性の弾性材（例えばＥＰＤＭ，発泡ウレタン等）により覆われている。この導電性の弾性材により、中間転写ローラ６は中間転写ベルト７に対して均一に高電圧を印加することができる。本実施の形態では、転写電極としてローラ形状のもの（中間転写ローラ６）を使用しているが、これ以外にブラシなども用いることが可能である。
【００４１】
上述のように各感光体ドラム３上の静電潜像は各色成分に応じたトナーにより顕像化されてそれぞれトナー像となり、これらトナー像は中間転写ベルト７上に重ねて合わされ積層される。このように、積層されたトナー像は、中間転写ベルト７の回転によって、搬送されてきた用紙と中間転写ベルト７との接触位置（転写部）に移動し、この位置に配置されている転写ローラ１１によって用紙上に転写される。この場合、中間転写ベルト７と転写ローラ１１とは所定ニップで互いに圧接されるとともに、転写ローラ１１にはトナー像を用紙に転写させるための電圧が印加される。この電圧は、トナーの帯電極性（−）とは逆極性（＋）の高電圧である。
【００４２】
上記ニップを定常的に得るために、転写ローラ１１もしくは中間転写ベルト駆動ローラ７１の何れか一方は金属等の硬質材料から形成され、他方は弾性ローラ等の軟質材料（弾性ゴムローラまたは発泡性樹脂ローラ等）から形成される。
【００４３】
中間転写ベルト７と感光体ドラム３との接触により中間転写ベルト７に付着したトナー、及び中間転写ベルト７から用紙へのトナー像の転写の際に転写されずに中間転写ベルト７上に残存したトナーは、次工程でトナーの混色を発生させる原因となるために、中間転写ベルトクリーニングユニット９によって除去され回収される。
【００４４】
中間転写ベルトクリーニングユニット９には、中間転写ベルト７に接触するクリーニングブレード（クリーニング部材）が備えられている。中間転写ベルト７におけるクリーニングブレードに接触している部分は、裏側から中間転写ベルト従動ローラ７２にて支持されている。
【００４５】
給紙トレイ１０は、画像形成に使用するシート（例えば記録用紙）を蓄積しておくためのものであり、画像形成部及び露光ユニット１の下側に設けられている。一方、画像形成装置１００の上部に設けられている排紙トレイ１５は、印刷済みのシートをフェイスダウンで載置するためのものである。
【００４６】
また、画像形成装置１００には、給紙トレイ１０のシート及び手差しトレイ２０のシートを転写部や定着ユニット１２を経由させて排紙トレイ１５に案内するためのシート搬送路Ｓが設けられている。なお、転写部は中間転写ベルト駆動ローラ７１と転写ローラ１１との間に位置する。
【００４７】
さらに、シート搬送路Ｓには、ピックアップローラ１６（１６ａ，１６ｂ）、レジストローラ１４、転写部、定着ユニット１２、搬送ローラ２５（２５ａ〜２５ｈ）等が配置されている。
【００４８】
搬送ローラ２５は、シートの搬送を促進・補助するための小型のローラであり、シート搬送路Ｓに沿って複数設けられている。ピックアップローラ１６ａは、給紙トレイ１０の端部に備えられ、給紙トレイ１０からシートを１枚ずつシート搬送路Ｓに供給する呼び込みローラである。ピックアップローラ１６ｂは、手差しトレイ２０の近傍に備えられ、手差しトレイ２０からシートを１枚ずつシート搬送路Ｓに供給する呼び込みローラである。レジストローラ１４は、シート搬送路Ｓを搬送されているシートを一旦保持し、中間転写ベルト７上のトナー像の先端とシートの先端とを合わせるタイミングでシートを転写部に搬送するものである。
【００４９】
定着ユニット１２は、ヒートローラ８１及び加圧ローラ８２等を備え、これらヒートローラ８１及び加圧ローラ８２はシートを挟んで回転する。ヒートローラ８１は、所定の定着温度となるように制御部（図示せず）によって制御される。この制御部は温度検出器（図示せず）からの検出信号に基づいてヒートローラ８１の温度を制御する。
【００５０】
ヒートローラ８１は、加圧ローラ８２とともにシートを熱圧着することにより、シートに転写されている各色トナー像を溶融、混合、圧接させ、シートに対して熱定着させる。なお、多色トナー像（各色トナー像）が定着されたシートは、複数の搬送ローラ２５によってシート搬送路Ｓの反転排紙経路に搬送され、反転された状態（多色トナー像を下側に向けた状態）にて、排紙トレイ１５上に排出される。
【００５１】
次に、シート搬送路Ｓによるシート搬送動作について説明する。
画像形成装置１００には、図１に示すように、上述したように予めシートを収納する給紙トレイ１０、及び少数枚の印字を行う場合等に使用される手差しトレイ２０が配置されている。これら両トレイには各々ピックアップローラ１６（１６ａ，１６ｂ）が配置され、これらピックアップローラ１６によってシートを１枚ずつシート搬送路Ｓに供給するようになっている。
【００５２】
片面印字の場合は、給紙トレイ１０から搬送されるシートは、シート搬送路Ｓ中の搬送ローラ２５ａによってレジストローラ１４まで搬送され、レジストローラ１４によりシートの先端と中間転写ベルト７上の積層されたトナー像の先端とが整合するタイミングで転写部（転写ローラ１１と中間転写ベルト７との接触位置）に搬送される。転写部ではシート上にトナー像が転写され、このトナー像は定着ユニット１２にてシート上に定着される。その後、シートは、搬送ローラ２５ｂを経て排紙ローラ２５ｃから排紙トレイ１５上に排出される。
【００５３】
また、手差しトレイ２０から搬送されるシートは、複数の搬送ローラ２５（２５ｆ，２５ｅ，２５ｄ）によってレジストローラ１４まで搬送される。それ以降のシート搬送動作は、上述した給紙トレイ１０から供給されるシートと同様の経過を経て排紙トレイ１５に排出される。
【００５４】
一方、両面印字の場合は、上記のようにして片面印字が終了し定着ユニット１２を通過したシートは、後端が排紙ローラ２５ｃにてチャックされる。次に、シートは、排紙ローラ２５ｃが逆回転することによって搬送ローラ２５ｇ，２５ｈに導かれ、再びレジストローラ１４を経て裏面印字が行われた後に、排紙トレイ１５に排出される。
【００５５】
次に、本実施形態のトナー補給装置２２の構成について具体的に説明する。
図２は本実施形態に係る画像形成装置を構成するトナー補給装置の概略構成を示す断面図、図３は図２のＣ−Ｃ断面矢視図である。
【００５６】
トナー補給装置２２は、図２に示すように、トナー収容容器１２１、トナー攪拌部材１２５、トナー排出部材１２２及びトナー排出口１２３を含む。トナー補給装置２２は、現像槽１１１の上側に配され、未使用トナー（粉体状のトナー）を貯蔵している。トナー補給装置２２内のトナーは、図３に示すように、トナー排出部材（排出スクリュー）１２２を回転させることによって、トナー排出口１２３からトナー移送機構１０２を介して現像槽１１１へ供給されるようになっている。
【００５７】
トナー収容容器１２１は、内部空間を有するほぼ半円筒状の容器部材であり、トナー攪拌部材１２５、トナー排出部材１２２を回転自在に支持し、トナーを収容する。トナー排出口１２３は、トナー排出部材１２２の下部、軸方向中央部よりに設けられる略長方形の開口部であり、トナー移送機構１０２を臨む位置に配置される。
【００５８】
トナー攪拌部材１２５は、回転軸１２５ａを中心に回転することにより、トナー収容容器１２１内に収容されるトナーを攪拌しながら、トナー収容容器１２１内のトナーを汲み上げてトナー排出部材１２２へ搬送する板状の部材で、先端にトナー汲み上げ部材１２５ｂを備える。トナー汲み上げ部材１２５ｂは、可撓性を有するポリエチレンテレフタレート（ＰＥＴ）シートからなり、トナー攪拌部材１２５の両端に取付けられる。
【００５９】
トナー排出部材１２２は、トナー収容容器１２１内のトナーをトナー排出口１２３から現像槽１１１に供給するもので、図３に示すように、トナー搬送羽根１２２ａとトナー排出部材回転軸１２２ｂとを含むスクリューオーガ、並びにトナー排出部材回転ギア１２２ｃで構成されている。トナー排出部材１２２は、図示しないトナー排出部材駆動モータによって回転駆動されるようになっている。スクリューオーガの向きは、トナー排出部材１２２の軸方向両端からトナー排出口１２３側に向けて、トナーが搬送されるように設定されている。
【００６０】
トナー排出部材１２２とトナー攪拌部材１２５との間には、トナー排出部材隔壁１２４が設けられる。これによって、トナー攪拌部材１２５によって汲み上げられたトナーがトナー排出部材１２２の周辺に適量のトナーを保持できる。
【００６１】
トナー攪拌部材１２５は、図２に示すように、矢印Ｚ方向に回転してトナーを攪拌し、トナー排出部材１２２の方へ汲み上げる。このとき、トナー汲み上げ部材１２５ｂは、その可撓性によって、トナー収容容器１２１の内壁に沿って摺動して変形しつつ回転し、トナーをトナー排出部材１２２側に供給する。そして、トナー排出部材１２２が回転することにより、供給されたトナーをトナー排出口１２３へと導くようになっている。
【００６２】
次に、本実施形態の特徴的な現像装置２の構成について図面を参照して説明する。
図４は本実施形態に係る画像形成装置を構成する現像装置の構成を示す断面図、図５は図４のＡ−Ａ断面矢視図であって、前記現像装置を構成する現像剤流量調整手段のシャッター部材が閉じた状態を示す説明図、図６は前記シャッター部材が開放した状態を示す説明図、図７は図４のＢ−Ｂ断面矢視図である。
【００６３】
本実施形態の現像装置２は、図４に示すように、現像槽１１１内に、感光体ドラム３と対向するように配置された現像ローラ１１４を有し、現像ローラ１１４によって感光体ドラム３の表面にトナーを供給して、感光体ドラム３の表面に形成された静電潜像を顕像化する（現像する）現像装置であって、図５，図６に示すように、現像槽１１１内で移動する現像剤の流量を調整する現像剤流量調整手段１１８を備えたことを特徴とするものである。
【００６４】
現像装置２は、図４〜図６に示すように、現像ローラ１１４の他に、現像槽１１１、現像槽カバー１１５、トナー補給口１１５ａ、ドクターブレード１１６、第１搬送部材１１２、第２搬送部材１１３、仕切り板（仕切り壁）１１７、トナー濃度検知センサ１１９、及び現像剤流量調整手段１１８を備えている。
【００６５】
現像槽１１１は、トナーとキャリアとを含む２成分現像剤（以下、単に「現像剤」と称する。）を収容する槽である。また、現像槽１１１には、現像ローラ１１４、第１搬送部材１１２、第２搬送部材１１３、現像剤流量調整手段１１８等が配設されている。なお、本実施形態のキャリアは、磁性を有する磁性キャリアである。
【００６６】
現像槽１１１の上側には、取り外し可能な現像槽カバー１１５が設けられている。さらに、現像槽カバー１１５には、現像槽１１１内に未使用のトナーを補給するためのトナー補給口１１５ａが形成されている。
【００６７】
現像槽１１１には、第１搬送部材１１２と第２搬送部材１１３との間に仕切り板１１７が配設されている。仕切り板１１７は、第１搬送部材１１２及び第２搬送部材１１３の各軸方向（各回転軸方向）に平行に延設されている。現像槽１１１の内部は、仕切り板１１７によって、第１搬送部材１１２が配されている第１搬送路Ｐと、第２搬送部材１１３が配されている第２搬送路Ｑとに区画される。
【００６８】
仕切り板１１７は、第１搬送部材１１２及び第２搬送部材１１３の各軸方向の両端部において、現像槽１１１の内側の壁面から離間して配置されている。これにより、現像槽１１１には、第１搬送部材１１２及び第２搬送部材１１３の各軸方向の両端部付近において、第１搬送路Ｐと第２搬送路Ｑとを連通する連通路が形成されている。以下では、図５に示されるように、矢印Ｘ方向側に形成されている連通路を第１連通路ａ、矢印Ｙ方向側に形成されている連通路を第２連通路ｂと称する。
【００６９】
第１搬送部材１１２及び第２搬送部材１１３は、互いの周面同士が仕切り板１１７を介して対向するように且つ互いの軸同士が平行になるように並列され、互いに逆方向に回転するように設定されている。そして、第１搬送部材１１２は、図５に示すように、矢印Ｘ方向に２成分現像剤を搬送し、第２搬送部材１１３は、矢印Ｘ方向とは逆の矢印Ｙ方向に現像剤を搬送するように設定されている。
【００７０】
第１搬送部材１１２は、図５に示すように、螺旋状の第１搬送羽根１１２ａと第１回転軸１１２ｂからなるスクリューオーガと、ギア１１２ｃにより構成されている。第２搬送部材１１３は、図５に示すように、螺旋状の第２搬送羽根１１３ａと第２回転軸１１３ｂからなるスクリューオーガと、ギア１１３ｃにより構成されている。第１搬送部材１１２及び第２搬送部材１１３は、モータ等の駆動手段（図示せず）によって回転駆動することにより現像剤を攪拌すると共に搬送するようになっている。
【００７１】
現像ローラ１１４は、図示しない駆動手段によって軸心回りに回転駆動するマグネットローラであり、現像槽１１１の現像剤を表面に汲み上げて担持し、表面に担持している現像剤に含まれるトナーを感光体ドラム３に供給するものである。また、現像ローラ１１４は、感光体ドラム３に対向し、感光体ドラム３に対して間隙を有して離隔するように設けられている。
【００７２】
現像ローラ１１４で搬送される現像剤は、最近接部分で感光体ドラム３と接触する。この接触領域が現像ニップ部Ｎであり、現像ニップ部Ｎでは、現像ローラ１１４に接続される図示しない電源から現像ローラ１１４に対して現像バイアス電圧が印加され、現像ローラ１１４表面の現像剤から感光体ドラム３表面の静電潜像へトナーが供給される。
【００７３】
現像ローラ１１４の表面に近接する位置にはドクターブレード（層厚規制用ブレード）１１６が配されている。
【００７４】
ドクターブレード１１６は、現像ローラ１１４の軸線方向に平行に延びる板状部材であり、現像ローラ１１４の鉛直方向下方において、その短手方向の一端が現像槽１１１によって支持され、かつ他端が現像ローラ１１４表面に対して間隙を有して離隔するように設けられる。ドクターブレード１１６の材料としては、ステンレス鋼が使用できるが、アルミニウムや合成樹脂なども使用できる。
【００７５】
トナー濃度検知センサ１１９は、第２搬送部材１１３の鉛直方向下方の現像槽１１１底面に装着され、センサ面が現像槽１１１の内部に露出するように設けられる。
トナー濃度検知センサ１１９は図示しないトナー濃度制御手段に電気的に接続される。トナー濃度制御手段は、トナー濃度検知センサ１１９が検知するトナー濃度測定値に応じて、トナー排出部材１２２を回転駆動させ、トナー排出口１２３を介して現像槽１１１内部にトナーを供給するように制御する。
【００７６】
トナー濃度検知センサ１１９によるトナー濃度測定値がトナー濃度設定値よりも低いと判定すると、トナー排出部材１２２を回転駆動させる駆動手段に制御信号を送り、トナー排出部材１２２を回転駆動させる。トナー濃度検知センサ１１９には一般的なトナー濃度検知センサを使用でき、たとえば、透過光検知センサ、反射光検知センサ、透磁率検知センサなどが挙げられる。これらの中でも、透磁率検知センサが好ましい。
【００７７】
透磁率検知センサには図示しない電源が接続される。電源は、透磁率検知センサを駆動させるための駆動電圧及びトナー濃度の検知結果を制御手段に出力するための制御電圧を透磁率検知センサに印加する。電源による透磁率検知センサへの電圧の印加は、制御手段によって制御される。透磁率検知センサは、制御電圧の印加を受けてトナー濃度の検知結果を出力電圧値として出力する型式のセンサであり、基本的に出力電圧の中央値近傍の感度がよいため、その付近の出力電圧が得られるような制御電圧を印加して用いられる。このような型式の透磁率検知センサは市販されており、たとえば、ＴＳ−Ｌ、ＴＳ−Ａ、ＴＳ−Ｋ（いずれも商品名、ＴＤＫ（株）社製）などが挙げられる。
【００７８】
ここで、現像装置２の現像槽１１１における現像剤の搬送について説明する。
図１に示すように、トナー補給装置２２に収容されているトナーは、トナー移送機構１０２及びトナー補給口１１５ａを介して現像槽１１１内に移送され、これにより現像槽１１１にトナーが補給される。
【００７９】
現像槽１１１において、第１搬送部材１１２及び第２搬送部材１１３は、モータ等の駆動手段（図示せず）によって回転駆動し、現像剤を搬送する。具体的には、第１搬送路Ｐにおいて、現像剤は、第１搬送部材１１２によって攪拌されながら矢印Ｘ方向へ搬送され、第１連通路ａに到達する。第１連通路ａに到達した現像剤は、第１連通路ａを通過して第２搬送路Ｑへ搬送される。
【００８０】
一方、第２搬送路Ｑにおいて、現像剤は、第２搬送部材１１３によって、攪拌されながら矢印Ｙ方向へ搬送され、第２連通路ｂに到達する。そして、第２連通路ｂに到達した現像剤は、第２連通路ｂを通過して第１搬送路Ｐへ搬送される。
つまり、第１搬送部材１１２と第２搬送部材１１３とは、互いに逆方向に現像剤を攪拌しながら搬送している。
【００８１】
このようにして、現像剤は、現像槽１１１において、第１搬送路Ｐと第１連通路ａと第２搬送路Ｑと第２連通路ｂとを、第１搬送路Ｐ→第１連通路ａ→第２搬送路Ｑ→第２連通路ｂ、という順序にて循環移動していることになる。そして、現像剤は、第２搬送路Ｑにて搬送されている間に、現像ローラ１１４の回転にてその表面に担持されて汲み上げられ、汲み上げられた現像剤中のトナーが感光体ドラム３へと移動して、順次消費されていく。
【００８２】
このように消費されるトナーを補うべく、未使用のトナーがトナー補給口１１５ａから第１搬送路Ｐへ補給される。補給されたトナーは第１搬送路Ｐにおいて従前より存在する現像剤と混合攪拌される。
【００８３】
次に、本実施形態の特徴的な現像剤流量調整手段１１８について図面を参照して詳細に説明する。
図８は本実施形態の現像装置を構成する現像剤流量調整手段の構成を示す拡大斜視図、図９は前記現像剤流量調整手段の構成を示す分解斜視図である。
【００８４】
現像装置２において、現像剤流量調整手段１１８は、図７，図８，図９に示すように、シャッター部材１１８ａと、現像剤を通過させるための上部開口部１１７ｂとを備える仕切り板１１７と、シャッター部材１１８ａの可動域を制限するストッパー１１８ｂと、シャッター部材１１８ａを上部開口部１１７ｂを閉鎖する方向へ付勢するスプリング１１８ｃと、を備えている。
【００８５】
上部開口部１１７ｂは、図８，図９に示すように、シャッター板１１８ａ１と略同じ形状を備える開口部で、仕切り板１１７の端の上部に切り欠き形成されている。
【００８６】
シャッター部材１１８ａは、図８，図９に示すように、仕切り板１１７の上部開口部１１７ｂを開閉するシャッター板１１８ａ１と、シャッター板１１８ａ１を回転可能に軸支するシャッター部材回転軸１１８ａ２と、現像剤の流れを受けてシャッター板１１８ａ１を変位させるシャッター板変位板１１８ａ３とを備えている。
【００８７】
シャッター部材回転軸１１８ａ２は、仕切り板１１７の端部に設けられた軸受１１７ａに回転自在に保持されている。すなわち、軸受１１７ａを備える仕切り板１１７は、シャッター部材１１８ａの保持部材として機能している。
【００８８】
シャッター板１１８ａ１及びシャッター板変位板１１８ａ３は、図９に示すように、シャッター部材回転軸１１８ａ２を回転軸として、該シャッター部材回転軸１１８ａ２の軸線ＣＬ上から放射状に設けられる２つの平面で形成されている。シャッター板１１８ａ１とシャッター板変位板１１８ａ３との成す角度θは、９０度以上１７０度以下が好ましい。
【００８９】
尚、シャッター板１１８ａ１とシャッター板変位板１１８ａ３との成す角度θが９０度未満では、現像剤の流れに対して受ける抵抗が強すぎるため、シャッター部材１１８ａが急激に変位しやすくなる。一方、シャッター板１１８ａ１とシャッター板変位板１１８ａ３との成す角度θが１７０度を超えると、現像剤の流れに対してシャッター板変位板１１８ａ３が傾倒しすぎているので現像剤から受ける抵抗が弱くなるため、シャッター部材１１８ａへの作用が弱くなって、シャッター板１１８ａ１の変位が鈍くなる。
【００９０】
ストッパー１１８ｂは、図７に示すように、現像槽カバー１１５に固定され、シャッター部材１１８ａが所定の範囲で回動可能に取付けられて、シャッター部材１１８ａの可動域を制限する。すなわち、ストッパー１１８ｂは、図８に示すように、シャッター板１１８ａ１が上部開口部１１７ｂを閉鎖する位置でストッパー１１８ｂのシャッター板当接部１１８ｂ１と当接するように配置されるとともに、シャッター板変位板１１８ａ３が所定量回動した位置でストッパー１１８ｂの変位板当接部１１８ｂ３と当接するように配置されている。
【００９１】
本実施形態においては、ストッパー１１８ｂは、図８に示すように、シャッター板１１８ａ１及びシャッター板変位板１１８ａ３が第２搬送路Ｑ側へ飛び出さないように、仕切り板１１７と平行に設けられている。すなわち、シャッター板１１８ａ１またはシャッター板変位板１１８ａ３が、ストッパー１１８ｂと当接して仕切り板１１７と面一になるように設けられている。
【００９２】
スプリング１１８ｃは、図９に示すように、コイル状の捻りばねで構成され、シャッター部材回転軸１１８ａ２が内通するように取り付けられる。そして、スプリング１１８ｃの一端がシャッター板１１８ａ１側に係止され、他端が仕切り板１１７側に係止されて、シャッター板１１８ａ１をストッパー１１８ｂに当接する方向、すなわち、図８に示すように、上部開口部１１７ｂを閉鎖する方向にシャッター板１１８ａ１を付勢している。
【００９３】
次に、本実施形態の現像装置２における現像剤流量調整手段１１８による現像剤の搬送作用について説明する。
【００９４】
現像装置２において、通常、現像槽１１１内の現像剤は、図５に示すように、第１搬送路Ｐにおいて矢印Ｘ方向に搬送され、第１連通路ａを通って第２搬送路Ｑに導入される。そして、現像剤は、第２搬送路Ｑにおいて矢印Ｙ方向に搬送され、第２連通路ｂを通って再び第１搬送路Ｐに導入される。このようにして、現像剤は、現像槽１１１内を循環搬送される。この時、現像剤流量調整手段１１８のシャッター部材１１８ａのシャッター板１１８ａ１は、図７に示すように、仕切り板１１７の端部の上部開口部１１７ｂを閉鎖する位置に配置されている。
【００９５】
ここで、第１搬送路Ｐにおいて矢印Ｘ方向に搬送される現像剤の流量が、第１連通路ａを通って第２搬送路Ｑに導入される現像剤の流量よりも多くなると、第１搬送路Ｐの第１連通路ａ付近の一部の現像剤面が局所的に高くなる。
【００９６】
すると、シャッター部材１１８ａのシャッター板変位板１１８ａ３が、図６に示すように、第１搬送路Ｐ内で現像剤面が高くなった部分の現像剤の流れを受けて、現像剤搬送方向下流側に回動し、これに連動して、シャッター板１１８ａ１が上部開口部１１７ｂを開放する位置へ回動する。
【００９７】
これにより、第１搬送路Ｐ内の現像剤は、第１搬送路Ｐの上部側の一部（上層部現像剤Ｇ１）が現像剤搬送方向で第１連通路ａよりも上流側で上部開口部１１７ｂを通って第２搬送路Ｑ側へ流れるため、第２搬送路Ｑに導入される現像剤の流量が多くなる。このとき、第１連通路ａにおいては、通常のように第１搬送路Ｐから第２搬送路Ｑに現像剤が導入されるとともに、第１搬送路Ｐの下部側の一部（下層部現像剤Ｇ２）がシャッター板変位板１１８ａ３の下側を通って導入される。
この結果、第１搬送路Ｐ内で一時的に現像剤に滞留が生じて局所的に高くなった現像剤面を下げることができる。
【００９８】
以上のように構成したので、本実施形態によれば、画像形成装置１００に用いられる現像装置２において、第１搬送路Ｐと第２搬送路Ｑを連通する第１連通路ａ近傍に現像剤流量調整手段１１８を設けたことで、第１搬送路Ｐの現像剤の高さ（現像剤面）が局所的に上昇した場合に、シャッター部材１１８ａにより第１搬送路Ｐから第２搬送路Ｑに移動する現像剤の流量を多くすることにより、第１連通路ａ付近の現像剤の滞留を抑制して、現像剤面の上昇を低減させて、現像剤の高さを均一にすることができる。
これにより、現像剤面が変動することによる現像ローラの汲上量が変動することを抑制できるので、現像ローラの長手方向において画像濃度にムラが生じることなく高品位の画像形成を実現できる。
【００９９】
尚、本実施形態では、現像装置２において第１搬送路Ｐと第２搬送路Ｑを連通する第１連通路ａ近傍に現像剤流量調整手段１１８を設けているが、変形例として、第２搬送路Ｑと第１搬送路Ｐを連通する第２連通路ｂ近傍に現像剤流量調整手段１１８と同様な構成を設けても良い。このように構成することで、上述した実施形態と同様な効果が得られる。
【０１００】
また、本実施形態によれば、現像剤流量調整手段１１８の構成として、仕切り板１１７の端部の上部に設けた上部開口部１１７ｂを開閉するシャッター部材１１８ａを備え、シャッター部材１１８ａを構成するシャッター板１１８ａ１とシャッター板変位板１１８ａ３との成す角度を９０度以上１７０度以下で配置したので、容易に第１搬送路Ｐから第２搬送路Ｑに流れる現像剤流量の調整を行うことができる。
【０１０１】
また、本実施形態によれば、現像剤流量調整手段１１８の構成として、シャッター板１１８ａ１を上部開口部１１７ｂを閉鎖する方向へ付勢するスプリング１１８ｃと、シャッター板１１８ａ１の可動域を制限するストッパー１１８ｂとを備えることで、現像剤の流量に応じてシャッター板ａ１がスプリング１１８ｃのばね力を抗して徐々に開放されて、現像剤を徐々に流出させることができ、また、ストッパー１１８ｂにシャッター板変位板１１８ａ３が当接して動作が制限されることで、シャッター板１１８ａ１が開放し過ぎることを防止できる。
【０１０２】
尚、上述した実施形態では、本発明に係る画像形成装置の構成を図１に示すような画像形成装置１００に適用した例について説明したが、現像装置の現像槽１１１内に複数の現像剤搬送路を設け、それらの現像剤搬送路を連通させる連通路を設けて、現像槽１１１内の現像剤を循環搬送するようにした現像装置を用いる画像形成装置であれば、上述したような構成の画像形成装置や複写機に限定されるものではなく、その他の画像形成装置等に展開が可能である。
【０１０３】
以上のように、本発明は、上述した実施形態に限定されるものではなく、請求項に示した範囲で種々の変更が可能である。すなわち、本発明の要旨を逸脱しない範囲内において適宜変更した技術的手段を組み合わせて得られる実施形態についても本発明の技術的範囲に含まれる。
【符号の説明】
【０１０４】
１  露光ユニット（露光装置）
２  現像装置
３  感光体ドラム
５  帯電器（帯電装置）
８  中間転写ベルトユニット（転写装置）
１２  定着ユニット（定着装置）
２２  トナー補給装置
１００  画像形成装置
１１１  現像槽
１１２  第１搬送部材
１１３  第２搬送部材
１１４  現像ローラ
１１５  現像槽カバー
１１７  仕切り板
１１７ａ  軸受（保持部材）
１１７ｂ  上部開口部
１１８  現像剤流量調整手段
１１８ａ  シャッター部材
１１８ａ１  シャッター板
１１８ａ２  シャッター部材回転軸
１１８ａ３  シャッター板変位板
１１８ａ３ｃ  シャッター板変位板
１１８ｂ  ストッパー
１１８ｂ１  シャッター板当接部
１１８ｂ３  変位板当接部
１１８ｃ  スプリング
ａ  第１連通路
ｂ  第２連通路
Ｐ  第１搬送路
Ｑ  第２搬送路
θ  角度
【図１】
2011002756.tif 000003
【図２】
2011002756.tif 000004
【図３】
2011002756.tif 000005
【図４】
2011002756.tif 000006
【図５】
2011002756.tif 000007
【図６】
2011002756.tif 000008
【図７】
2011002756.tif 000009
【図８】
2011002756.tif 000010
【図９】
2011002756.tif 000011